(57)【要約】【課題】筐体の内部でスペースをとらずに確実に固定でき、また、広い操作面を持つキートップを備えるキーシートの提供。【解決手段】ベースシート８のシート面の大きさをキートップ群の押圧方向への投影面の大きさと略同等の大きさとし、ベースシート８の外縁に枠形状の弾性固着部９を形成したため、筐体２の内部におけるキーシート７の取り付けスペースをキートップ群の押圧方向への投影面の範囲内に収め、キーシート７を回路基板にしっかりと固着することができる。また、キートップ群の大きさがベースシート８の大きさと同等であるため、広い操作面を持つキートップ４を備えるキーシート７とすることができる。【選択図】図２
2010040358.tif 000002
【特許請求の範囲】
【請求項１】
平面視で奥行き方向に押圧操作を受ける複数のキートップと、このキートップを載置する可撓性のあるベースシートとを有し、接点スイッチを備える回路基板上に設けて押釦スイッチとなるキーシートであって、
少なくとも一方端側の外縁において、平面視でキートップがベースシートを覆いベースシートがキートップの背後に隠れるようにキートップを設けるとともに、ベースシートの裏面側に回路基板と固着する弾性固着部を設けたキーシート。
【請求項２】
前記一方端側に位置するキートップに対応して接点スイッチを押圧する押し子を、ベースシートの中央寄りにキートップの中心からずらして設ける請求項１記載のキーシート。
【請求項３】
弾性固着部を、発泡層を基部とした表面に粘着性を有する両面テープで形成する請求項１または請求項２記載のキーシート。
【請求項４】
弾性固着部を、ベースシートの外縁に沿って枠形状に設ける請求項１〜請求項３何れか１項記載のキーシート。
【請求項５】
ベースシートの裏面に、ベースシートの撓みを抑制する硬質樹脂製の保形シートを設ける請求項１〜請求項４何れか１項記載のキーシート。
【請求項６】
保形シートに、その板厚方向に貫通しその面方向への応力を絶縁する絶縁孔を設ける請求項５記載のキーシート。
【発明の詳細な説明】
【技術分野】
【０００１】
本発明は、携帯電話機、ＰＤＡ、カーナビゲーション装置、カーオーディオ装置など各種電子機器の操作部に用いる押釦スイッチ用のキーシートに関する。
【背景技術】
【０００２】
電子機器の一例として挙げられる携帯電話機では、その筐体に形成した操作開口から押圧操作を受けるキートップを露出させた押釦スイッチが知られている。この押釦スイッチの一部となるキーシートは接点スイッチを有する回路基板上に装着されて用いられる。こうした従来例のキーシートでは、図１７，図１８で示すように、携帯電話機の筐体２の操作開口２ａからキートップ４を露出した状態で、キートップ４より外方へ突出するベースシート５の外縁を、筐体２と回路基板６に設けた突起６ａとの間に押圧状態で挟持して組み込んでいる（特許文献１。即ち、キーシート３の携帯電話機への組み）付けはベースシート５の挟持により行われている。
【特許文献１】特開２００８−１６２２０号公報
【発明の開示】
【発明が解決しようとする課題】
【０００３】
ところが、電子機器の小型化、薄型化にともない、機器の筐体内部に組み込まれる各部品が密集してくると余分なスペースは排除されることから、単にキーシートを保持するだけの挟持構造への見直しもなされ、従来のキーシートのようにベースシートの外縁を挟持して組み込むことが難しくなってきた。
また、入力操作をし易くするため、押圧操作を受けるキートップの表面を大きくする傾向にあり、携帯電話機表面の端部にまでキートップが設けられるようなデザインも考案されている。
【０００４】
以上のような技術や流行の推移を背景になされたのが本発明である。すなわち本発明の目的は、筐体の内部でスペースをとらずに確実に固定でき、また、広い操作面を持つキートップを備えるキーシートを提供することにある。
【課題を解決するための手段】
【０００５】
上記目的を達成すべく本発明は以下のように構成される。
平面視で奥行き方向に押圧操作を受ける複数のキートップと、このキートップを載置する可撓性のあるベースシートとを有し、接点スイッチを備える回路基板上に設けて押釦スイッチとなるキーシートであって、少なくとも一方端側の外縁において、平面視でキートップがベースシートを覆いベースシートがキートップの背後に隠れるようにキートップを設けるとともに、ベースシートの裏面側に回路基板と固着する弾性固着部を設けたキーシートを提供する。
【０００６】
少なくとも一方端側の外縁において、平面視でキートップがベースシートを覆いベースシートがキートップの背後に隠れるようにキートップを設けるため、少なくともこの一方端側の外縁においては、キートップから外方にはみ出すベースシートの部分を設けずに済み、キーシートの平面方向への大きさを小さく、または、キートップの大きさを大きくすることができる。
そして、少なくとも一方端側の外縁において、ベースシートの裏面側に回路基板と固着する弾性固着部を設けたため、キートップの外縁にはみ出したベースシートの部分でキーシートを挟持する必要がなく、この弾性固着部でキーシートを筐体の内部に固着することができる。
この弾性固着部は押圧方向、即ち、キーシートに対する平面視で奥行き方向に弾性変形することができ、押圧操作の際に潰れ変形することができる。よってキーシートを撓ませる押圧荷重を低く抑えることができ、例えば皿ばねのようにクリック感を有する接点スイッチを押圧した際にそのクリック感を良好に伝えることができる。なお、弾性固着部はベースシートの裏面側に備えられており、ベースシートの裏面に対して直接固着している場合や、ベースシートの裏面に対し、後に説明する硬質樹脂材でなる保形シートなどを介して間接的に固着している場合がある。
全ての外縁において、例えば平面視で長方形状をしたキーシートではその四辺の外縁において、キートップがベースシートを覆うようにすれば、ベースシートのシート面の大きさより複数のキートップの総表面の大きさの方をより大きくしたキーシートも実現することができる。
【０００７】
このキーシートは、押し子を有するものとすることができ、少なくとも一方端側に位置するキートップに対応して接点スイッチを押圧する押し子を、ベースシートの中央寄りにキートップの中心からずらして設けることができる。
キーシートの外縁を形成するキートップについては、ベースシートの中央寄りにキートップの中心からずらして設けることで、押圧荷重を低荷重化して効率的に接点スイッチに伝えることができる。また、皿ばねのようにクリック感を生じる接点スイッチを押圧した際にはそのクリック感を良好に操作者に伝えることができる。こうしたキーシートでは、キートップを押圧操作した際にベースシートの略全体が撓んで入力操作が行われることが多く、ベースシートの外縁側より中央側で撓み寸法が大きくなることから、回路基板とキーシートとの間の隙間も外縁側より中央側で小さくなるからである。また、こうしたキートップの下には弾性固着部があり、この弾性固着部を支点にしてキートップが回動するため、キートップの中心に押し子があるより、弾性固着部から離れた側、すなわち、ベースシートの中央よりに押し子があった方が、皿ばねへの押圧がスムーズになされるからである。
ベースシートの裏面側に設けられる押し子は、ベースシートの裏面に対して直接的に固着している場合の他、ベースシートの裏面に対し保形シートなどの他部材を介して間接的に固着している場合がある。
【０００８】
そして、弾性固着部を、発泡層を基部とした表面に粘着性を有する両面テープで形成することができる。弾性固着部を、こうした両面テープで形成したため、キートップへの押圧操作時に発泡層が潰れ変形することができ、キーシートを撓ませる押圧荷重を低く抑えることができる。そして、クリック感を生じさせる接点スイッチを押圧した際にはそのクリック感を操作者に良好に伝えることができる。
【０００９】
こうした弾性固着部は、ベースシートの外縁に沿って枠形状に設けることができる。ベースシートの外縁に沿って枠形状に設けたため、キーシートを回路基板上にしっかりと固着することができる。また、押圧操作の際にベースシートの略全体を撓ませることで押圧荷重を低く抑えることができ、押圧操作性を高めることができる。
【００１０】
また、前記キーシートについては、ベースシートの裏面に、ベースシートの撓みを抑制する硬質樹脂製の保形シートを設けることができる。
ベースシートが柔軟で変形し易い軟質樹脂製のフィルムやゴム状弾性体を用いていてもそれとは別に保形シートを設けることでキーシートの形状を保つことができ、電子機器への組み付け時の取扱いを簡単にすることができる。
保形シートの外縁でベースシートと固着することもできるし、キートップごとに対応させて保形シートとベースシートとを固着することもできる。保形シートの外縁でベースシートと固着すれば、保形シートの全面でキーシートの形状を保つことができ、キートップごとに対応して保形シートとベースシートとを固着することもできる。キートップごとに固着すれば、ベースシートの中央側で起こる撓み現象を抑えることができる。  
【００１１】
保形シートに、その板厚方向に貫通しその面方向への応力を絶縁する絶縁孔を設けることができる。こうした絶縁孔を設ければ、保形シートを押圧方向へ撓ませ易くすることができ、押圧荷重を小さくすることができる。そして、クリック感を生じさせる接点スイッチを押圧した際にはそのクリック感を操作者に良好に伝えることができる。
【発明の効果】
【００１２】
本発明のキーシートによれば、筐体の内部でスペースをとらずに確実に固定でき、また、広い操作面を持つキートップを備えるキーシートとすることができる。
そして、外縁にキートップが位置するようなデザインの電子機器を提供することができる。
【発明を実施するための最良の形態】
【００１３】
本発明の実施形態について図面を参照しつつ説明する。なお、各実施形態で共通する構成については、同一の符号を付して重複説明を省略する。
以下に説明する各実施形態では、「電子機器」としての携帯電話機１に用いる例を説明するが、特に、携帯電話機１の筐体２に形成した仕切桟の無い操作開口２ａから複数のキートップが露出するキーシートについて説明する。
【００１４】
第１実施形態〔図１〜図４〕：
第１実施形態におけるキーシート７を図１〜図４に示す。図１はキーシート７の平面図、図２はキーシート７のＳＢ−ＳＢ線断面図、図３はキーシート７の底面図、そして図４は携帯電話機１にキーシート７を備えた状態の断面図である。このキーシート７は、キートップ４、ベースシート８、弾性固着部９、押し子１０を備えている。
【００１５】
キートップ４は、指などによる押圧操作がなされる部位である。キートップ４は操作感が良好な点で硬質樹脂から平面視で矩形状に形成されることが多い。本実施形態では１７つの各キートップ４を有し、外周が矩形状のキートップ群を形成している。このキートップ４の表面には数字や文字などが印刷層や塗層として形成される加飾が施されており、反対側の裏面は接着剤でベースシート８に固着している。この接着剤は接着層１１を形成している。なお、印刷層や塗層などによる加飾は、接着層１１とキートップ４の裏面との間に設けることもでき、ベースシート８の表面や裏面に設けることもできる。
【００１６】
ベースシート８は複数のキートップ４をつなぎ止める基材となる部材である。このベースシート８は可撓性を有する平坦な樹脂フィルムやゴム状弾性体でなり、平面視でキートップ群と略同等の外周となる矩形状に形成されている。即ち、ベースシート８のシート面の大きさは平面視で奥行き方向へのキートップ群の投影面の大きさと同等である。  
【００１７】
弾性固着部９は、キーシート７の一方端側の外縁において、ベースシート８の裏面に貼着されており、回路基板６の表面に固着する部材である。回路基板６との固着性のある表面を有していれば良いが、簡易に形成できる点で両面テープで形成することが好ましく、発泡層を基部とした表面に粘着性を有する両面テープ９にて形成することがさらに好ましい。発泡層を有することで柔らかく撓み代が大きいため、こうした弾性固着部９の上に形成されるキートップ４も押圧操作がし易いからである。両面テープ９は、本実施形態では、ベースシート８の外縁に沿った枠形状に形成されており、その外縁は、キートップ４、ベースシート８とともに略面一に形成されている。
【００１８】
押し子１０はベースシート８の裏面に固着され回路基板６の表面に配置される接点スイッチとしての皿ばね１２を押圧する部位である。この押し子１０は樹脂でなり、円錐台形状に形成されている。本実施形態では、略縦３列に並ぶキートップ４のうち左右２列のキートップ４に対応する押し子１０が、ベースシート８の中央寄りにキートップ４の中心からずらして固定されている。即ち、図２で示すように、中央のキートップ４に対応する押し子１０はキートップ４の中央線Ｌで示された位置に固定されているが、左右のキートップ４に対応する押し子１０はキートップ４の中央線Ｌで示された位置より中央寄りに固定されている。
【００１９】
次に、キーシート７を構成する各部材の材質について説明する。
キートップ４は、機械的強度、耐久性及び軽量化等の要求性能により、熱可塑性樹脂又は反応硬化性樹脂などの硬質樹脂や金属で形成されることが好ましい。例えば、ポリカーボネート樹脂、ポリメチルメタクリレート樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂等が挙げられる。さらにこれらの硬質樹脂で加工性を考慮すると、ポリカーボネート樹脂、ポリメチルメタクリレート樹脂、ポリアクリル共重合樹脂、アクリロニトリルブタジエンスチレン樹脂が好ましく、また透明性を考慮すると、ポリカーボネート樹脂、ポリメチルメタクリレート樹脂、ポリアクリル共重合樹脂である。
金属には、アルミニウムやステンレス鋼が挙げられる。こうした硬質樹脂や金属以外に、シリコーンゴムや各種熱可塑性エラストマーなどのゴム状弾性体を用いることもできる。
【００２０】
ベースシート８は、本実施形態の場合には可撓性を有しながらもキーシート７の定形性を保持すべく剛性のある硬質樹脂であることが要求される場合がある。また、それほどの剛性が無くとも、繰り返し使用に耐えるだけの耐久性があれば足りるとされる場合には、軟質樹脂やゴム状弾性体が要求される場合もある。
こうした樹脂フィルムには、例えば、ポリウレタン樹脂フィルム、ポリエチレン樹脂フィルム、ポリプロピレン樹脂フィルム、ポリアミド樹脂フィルム、ポリ塩化ビニル樹脂フィルム、ポリカーボネート樹脂フィルム、アクリロニトリル・ブタジエン・スチレン樹脂フィルム、ポリエチレンテレフタレート樹脂フィルム、ポリブチレンテレフタレート樹脂フィルム、ポリフェニレンオキサイド樹脂フィルム、ポリフェニレンサルファイド樹脂フィルム、ポリフェニレンエーテル樹脂フィルム、変性ポリフェニレンエーテル樹脂フィルム、ポリケトン樹脂フィルム、液晶ポリマーフィルムなどの単一材又は複合材が挙げられる。これらのうち他の材質よりも薄くて柔軟で破断し難いポリアミド樹脂フィルム、ポリウレタン樹脂フィルム、ポリ塩化ビニル樹脂フィルムなどは、軟質樹脂フィルムとして好適である。熱可塑性樹脂フィルムを用いれば、加熱により軟化又は溶融して他部材との固着を強固にできる。
また、ゴム状弾性体には、シリコーンゴムの他、スチレン系、エステル系、ウレタン系、オレフィン系、アミド系、ブタジエン系、エチレン−酢酸ビニル系、塩化ビニル系、フッ素ゴム系、イソプレン系、塩素化ポリエチレン系などの熱可塑性エラストマーを挙げることができる。
【００２１】
弾性固着部９は、圧縮が容易な柔軟性のある基材の表面に粘着剤でなる粘着層が形成された両面テープで形成されることが好ましい。こうした両面テープの基材は、クッション性のある発泡層であることがより好ましいが、エラストマーなどの柔軟な材料を用いることもできる。発泡層としてその構造により柔軟性を持たせた材料には、例えば、シリコーンゴムなどの合成のほか、スチレン系、エステル系、ウレタン系、オレフィン系、アミド系、ブチジエン系、エチレン−酢酸ビニル系、塩化ビニル系、フッ素系、イソプレン系、塩素化ポリエチレン系などの熱可塑性エラストマーが挙げられる。粘着剤には、例えば、アクリル系、合成ゴム系、シリコーン系などが挙げられる。
【００２２】
押し子１０は、機械的強度、耐久性、及び軽量化等の要求性能により、熱可塑性樹脂、熱硬化性樹脂、光硬化性樹脂などの中で硬質樹脂が好ましい。例えば、アクリレート樹脂、ポリカーボネート樹脂、ポリエチレンテレフタレート樹脂、ポリメチルメタクリレート樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂などが挙げられる。光硬化性樹脂は、紫外線硬化型、可視光線硬化型、電子線硬化型などの種類は問わない。
【００２３】
接着層１１は、機械的強度、耐久性がある樹脂、ワックス、ゴムなどの接着剤から形成される。こうした材料には、例えば、ポリアクリル系、塩ビ系、ポリエステル系、ポリウレタン系などが挙げられるが、精度良い印刷が可能であり、被着体に塗着した後に溶剤が蒸発し固形状態となって垂れ難く、当初の印刷形状を維持し易い溶剤希釈型や、加熱接着タイプのホットメルト接着剤などが良い。また、接着工程で接着層１１が形状変形し難い加熱軟化タイプが好ましい。光硬化型や湿気硬化型の液状接着剤を用いることもできる。
【００２４】
キーシート７の製造方法について説明する。先ず、キートップ４を射出成形にて成形し、その表面を加飾したのち、その裏面全体には接着層１１を形成する。こうしたキートップを接着層１１を介してベースシート８に固着した後、ベースシート８の裏面には押し子１０を形成する。最後にベースシート８の裏面の端部に両面テープを貼着する。こうしてキーシート７を得る。
【００２５】
こうしたキーシート７を携帯電話機１に組み付けた状態について図４に示す。
携帯電話機１の筐体２の内部には、皿ばね１２を配置した回路基板６を備え、その上部に弾性固着部９で固着されたキーシート７が載置されている。こうして押釦スイッチを形成している。
筐体２の操作開口２ａから露出したキートップ４を押圧操作すると、ベースシート８が全体的に湾曲変形して撓み、押し子１０が皿ばね１２を押圧して入力が行われる。
【００２６】
キーシート７によれば、ベースシート８のシート面の大きさをキートップ群の押圧方向への投影面の大きさと略同等の大きさとし、ベースシート８の外縁に枠形状の弾性固着部９を形成したため、筐体２の内部におけるキーシート７の取り付けスペースをキートップ群の押圧方向への投影面の範囲内に収め、キーシート７を回路基板にしっかりと固着することができる。
そして、ベースシート８を覆うキートップ４を押圧しても、弾性固着部９が潰れ変形するため、低い押圧荷重で良好なクリック感を得ることができる。
弾性固着部９がベースシート８の外縁に沿って長方形の枠形状に形成されて、回路基板６の表面をキーシート７の外部から遮断するため、キーシート７の外部からの水分や埃が回路基板６の表面に流入することを防止できる。
【００２７】
第２実施形態〔図５〜図７〕：
第２実施形態のキーシート１３を図５〜図７に示す。図５はキーシート１３の断面図、図６はキーシート１３の底面図、図７はキーシート１３を携帯電話機１に搭載した状態の断面図である。このキーシート１３が先の実施形態のキーシート７と異なるのは、保形シート１４を備える構成である。
キーシート１３は、ベースシート８の表面側にキートップ４を固着する一方で、その裏面側に接着層１５，１６を介して保形シート１４を固着しており、保形シート１４を備える以外の構成はキーシート７とほぼ同じである。
【００２８】
保形シート１４は、キーシート１３に定形性を付与する部材である。この保形シート１４は、平面視でキートップ群と同等の外縁となる矩形状に形成されている。即ち、保形シート１４のシート面の大きさはキートップ群の押圧方向の投影面の大きさと同等であって、平面視では、キートップ４がベースシート８や保形シート１４を覆い、ベースシート８や保形シート１４がキートップ４の背後に隠れるように設けられている。
すなわち、保形シート１４のベースシート１３に対する固着は、キートップ４よりやや小さい矩形状でキートップ４に対応する固着層１５と、ベースシート８の外縁に対応する枠形状の固着層１６とでなされている。
そうした一方で、保形シート１４の裏面には、円錐台形状の押し子１０が形成されるとともに、その外縁に沿って枠形状の弾性固着部９が形成されている。
さらに、保形シート１４は、そのシート面方向に作用する応力を絶縁する絶縁孔１４ａが保形シート１４の板厚を貫通するように設けられている。この絶縁孔１４ａは、図６で示すように、平面視で固着層１５の２方または３方を囲むようにその周囲に、コ字形状またはＬ字形状で設けられている。
【００２９】
保形シート１４の材質は、機械的強度や耐久性、軽量化等の要求性能に応えるため、硬質樹脂製の樹脂フィルムや金属板が好ましい。硬質の樹脂フィルムとしては熱可塑性樹脂でも反応硬化性樹脂でも良く、例えば、ポリカーボネート樹脂フィルム、ポリメチルメタクリレート樹脂フィルム、ポリプロピレン樹脂フィルム、ポリスチレン樹脂フィルム、ポリアクリル共重合樹脂フィルム、ポリオレフィン樹脂フィルム、アクリロニトリルブタジエンスチレン樹脂フィルム、ポリエステル樹脂フィルム、ポリウレタン樹脂フィルム、ポリアミド樹脂フィルム等が挙げられる。さらにこれらの硬質樹脂フィルムにおける加工性を考慮すると、ポリカーボネート樹脂フィルム、ポリメチルメタクリレート樹脂フィルム、ポリアクリル共重合樹脂フィルム、アクリロニトリルブタジエンスチレン樹脂フィルムが好ましく、また照光式のキーシートとすることができる透明性を考慮すると、ポリカーボネート樹脂フィルム、ポリメチルメタクリレート樹脂フィルム、ポリアクリル共重合樹脂フィルムが好ましい。金属としては、例えば、ステンレス、アルミニウム、クロム、鉄、金、銀、銅、ニッケル、錫などの単体、又は合金を用いることができる。こうした金属のなかでは薄板加工が容易なステンレスや、アルミニウム、金、銅などが好ましい。
【００３０】
ベースシート８には、先の実施形態で説明したキーシート７に用いたベースシート８と同じ材質とすることができるが、キーシート１３では、保形シート１４を有するため、より軟質のベースシート８を用いることができ、全く定形性を持たない材質であっても良い。
【００３１】
キーシート１３の製造は次のように行う。ベースシート８の表面には、接着層１１を介して成形したキートップ４を固着する。また、ベースシート８の裏面には、絶縁孔１４ａを形成した保形シート１４を固着層１５，１６を介して固着する。そして、保形シート１４の裏面に押し子１０を形成した後、弾性固着部９を保形シート１４の裏面に貼着してキーシート１３を得る。
【００３２】
こうしたキーシート１３を携帯電話機１に組み付けた状態について図７に示す。
携帯電話機１の筐体２の内部には、皿ばね１２を配置した回路基板６を備え、その上部に弾性固着部９で固着されたキーシート１３が載置されて押釦スイッチを形成している。
筐体２の操作開口２ａから露出したキートップ４を押圧操作すると、ベースシート８が全体的に湾曲変形して撓み、押し子１０が皿ばね１２を押圧して入力が行われる。
【００３３】
キーシート１３によれば、キーシート７と同様の作用、効果を発揮する他、ベースシート８が柔軟で変形し易いシートであってもキーシート１３の形状を保つことができ、取扱いを簡単にすることができる。この保形シート１４はベースシート８に対し保形シート１４の外縁で固着層１６によって固着するため、保形シート１４の全面でキーシート１３の形状を保つことができる。さらにキートップ４ごとに対応してベースシート８と保形シート１４を固着層１５によって固着するため、ベースシート８が柔軟で変形し易いシートであってもシートの中央側で起こる撓み現象を抑えることができる。なお、固着層１６については、接着剤に替えて弾性固着部９に用いた両面テープを用いることもできる。
【００３４】
保形シート１４に、その面方向の応力を絶縁する絶縁孔１４ａを設けるため、保形シート１４を押圧方向へ撓ませ易くすることができ、押圧荷重を小さくすることができる。よってクリック感を有する皿ばね１２を押圧した際にはクリック感を高めることができる。
このように保形シート１４に絶縁孔１４ａが設けられていても、ベースシート８の外縁に相当する枠形状の固着層１６と両面テープ９とがシール性を発揮することができ、キーシート１３と回路基板６との間に水分や異物を侵入し難くすることができる。
【００３５】
第３実施形態〔図８〜図１０〕：
第３実施形態のキーシート１７を図８〜図１０に示す。図８はキーシート１７の断面図、図９はキーシート１７の底面図、図１０は携帯電話機１にキーシート１７を備えた状態の断面図である。本実施形態のキーシート１７が先の実施形態のキーシート１３と異なるのは、保形シート１８の構成である。残余の構成はキーシート１３と同じである。
【００３６】
保形シート１８は、キートップ群の平面視で奥行き方向への投影面の大きさよりも小さな矩形状に形成されている。このため、保形シート１８はベースシート８の裏面に対して固着層１５を介して固着しているが、枠形状の弾性固着部９は保形シート１８ではなくベースシート８の外縁に貼着されている。よって保形シート１８の裏面には円錐台形状の押し子１０が形成されているが、弾性固着部９は固着されていない。
保形シート１８にもそのシート面方向の応力を絶縁する絶縁孔１８ａが設けられている。この絶縁孔１８ａは、図９で示すように、平面視で固着層１５の周囲に、コ字形状やＬ字形状などの形状に形成されて設けられている。
【００３７】
キーシート１７を製造するには、キートップ４を成形し、接着層１１を介してベースシート８の表面に固着する。そうした一方で、絶縁孔１８ａを形成した保形シート１８の表面には固着層１５を設ける。次に、この固着層１５を介して保形シート１８をベースシート８の裏面に固着する。保形シート１８の裏面に押し子１０を形成した後、裁断した両面テープ９をベースシート８の裏面に貼着する。こうしてキーシート１７を得る。
【００３８】
本実施形態のキーシート１７を備える携帯電話機１の押釦スイッチでは、図１０で示すように、キーシート１７が組み付けられている。すなわち、キートップ４は筐体２の操作開口２ａから露出している。押し子１０は皿ばね１２と整合するように設けられている。ベースシート８は回路基板６上に両面テープ９で固着されている。
そして、キートップ４を押圧すると、ベースシート８が全体的に湾曲変形して撓み、キートップ４と対応する絶縁孔１８ａで囲まれた保形シート１８の一部が屈曲して、押し子１０が皿ばね１２を押圧して入力が行われる。
【００３９】
キーシート１７によれば、弾性固着部９をベースシート８における裏面の外縁に設けているため、押圧操作の際に保形シート１８が弾性固着部９で拘束されることがなく押圧荷重を低く抑えることができる。
【００４０】
第４実施形態〔図１１〜図１４〕：
第４実施形態のキーシート１９を図１１〜図１４に示す。図１１はキーシート１９の平面図、図１２はキーシート１９のＳＣ−ＳＣ線断面図、図１３はキーシート１９の底面図、図１４は携帯電話機１にキーシート１９を組み付けた状態の断面図である。本実施形態のキーシート１９が既に説明したキーシート７と異なるのは、キートップ２０を備える点である。残余の構成はキーシート７と同じである。
キートップ２０はその一方端がベースシート８の端部よりも外方に突出する突出部２０ａを有していることを特徴としており、図１１で示すキートップ群のうちの左右２列に表れるキートップ２０である。キートップ群の中央列は第１実施形態と同様のキートップ４である。
【００４１】
キーシート１９を製造するには、キートップ４，２０を成形し、接着層１１を介してベースシート８の表面に固着する。ベースシート８の裏面に押し子１０を形成した後、弾性固着部９をベースシート８の裏面に貼着する。こうしてキーシート１９を得る。
【００４２】
こうしたキーシート１９を携帯電話機１に組み付けた状態について図１４に示す。
携帯電話機１の筐体２の内部には、皿ばね１２を配置した回路基板６を備え、その上部に弾性固着部９で固着されたキーシート１９が載置されている。こうして押釦スイッチを形成している。
筐体２の操作開口２ａから露出したキートップ４，２０を押圧操作すると、ベースシート８が全体的に湾曲変形して撓み、押し子１０が皿ばね１２を押圧して入力が行われる。
【００４３】
キーシート１９によれば、ベースシート８のシート面の大きさよりキートップ群の表面の大きさを大きくすることができ、押圧操作し易いキーシート１９を実現することができる。
【００４４】
第５実施形態〔図１５〜図１６〕：
第５実施形態のキーシート２１を図１５〜図１６に示す。図１５はキーシート２１の平面図、図１６はキーシート２１のＳＤ−ＳＤ線断面図である。
このキーシート２１は、図１５において、右端と左端ではキートップ４がベースシートを覆っており他の実施形態と同じである。しかしながら、上端では、キートップ４に並列した樹脂フィルム２２が外縁を形成しており、また下端では、ベースシート８がキートップ４より突出した突片部８ａを有している。
樹脂フィルム２２は、携帯電話機１の筐体２の操作開口２ａから表面に表れ、キーシート２１の外観を構成する要素となっている。この樹脂フィルム２２の材質は、キートップ４に用いられる材質や、ベースシート８、保形シート１４，１８に用いられる材質などから適宜選択して用いることができる。
【００４５】
キーシート２１の製造は、他の実施形態で示したキーシート７，１３、１７，１９と同様に製造することができ、樹脂フィルム２２はキートップ４と同様にベースシート８に固着することができる。
【００４６】
キーシート２１は、その左右端においては他の実施形態で示したキーシート７，１３ ，１７，１９と同様に回路基板６に固着することができるが、その下端においてはベースシート８が突出した突片部８ａを有しているので、従来技術と同様にこの突片部８ａを筐体２などに挟んで固着することができる。また、上端においては、樹脂フィルム２２がキーシート２１の外縁を形成しているので、キーシート２１の携帯電話機１への組み付け時には、樹脂フィルム２２を筐体２などに突き合わせることでキーシート２１を位置決めして回路基板６に載置し組み付けることができる。
【００４７】
その他の変形例：
第４実施形態のキートップ２０は、第２実施形態や第３実施形態、第５実施形態のキーシート１３，１７，２１に対しても適用することができる。
また、第５実施形態のキーシート２１では、図１５における右端と左端においてキートップが外縁を形成する構成としたが、これに限らず、上端と下端、左右両端と下端など、キートップが外縁を形成する部位は適宜変更することができる。
【実施例】
【００４８】
例１：
厚さ０．４ｍｍのポリカーボネート樹脂でなるキートップ(4)を射出成形にて成形し、その表面に文字、記号などの表示要素を印刷形成して加飾した後、キートップ(4)の裏面全体にホットメルト接着剤でなる接着層(11)を積層する。その一方で、厚さ０．０５ｍｍの硬質ウレタン樹脂フィルムを裁断してベースシート(8)とし、その表面に先のキートップ(4)を加熱固着する。また、ベースシート(8)の裏面には、紫外線硬化型アクリル系液状樹脂で押し子(10)を形成する。最後にウレタン発泡層の基材とアクリル系粘着層で構成される厚さ０．４ｍｍの両面テープをベースシート(8)の裏面に枠形状となるように貼着して弾性固着部(9)を得る。こうして例１のキーシート(7)を製造する。
【００４９】
例２：
例１と同様に、キートップ(4)を成形して接着層(11)を塗布する。このキートップ(4)を、厚さ０．０５ｍｍで軟質のウレタン樹脂フィルムでなるベースシート(8)の表面に固着する。その一方で、厚さ０．０５ｍｍの硬質ポリエチレンテレフタレート樹脂フィルムでなり絶縁孔(14a)を設けた保形シート(14)に、紫外線硬化型接着剤でなる固着層(15,16)を設けてベースシート(8)の裏面に固着する。保形シート(14)の裏面には、例１と同様の押し子(10)を形成し、例１と同様に両面テープを保形シート(14)の裏面に貼着して弾性固着部(9)を得る。こうして例２のキーシート(13)を製造する。
【００５０】
例３：
例１と同様に、キートップ(4)を成形して接着層(11)を塗布する。このキートップ(4)を、厚さ０．０５ｍｍで軟質のウレタン樹脂フィルムでなるベースシート(8)の表面に固着する。その一方で、厚さ０．０５ｍｍのステンレス鋼でなり絶縁孔(14a)を設けた保形シート(14)に湿気硬化型接着剤でなる固着層(15,16)を設けてベースシート(8)の裏面に固着する。保形シート(14)の裏面には例１と同様の押し子(10)を形成し、例１と同様に両面テープを保形シート(14)の裏面に貼着して弾性固着部(9)を得る。こうして例３のキーシート(13)を製造する。
【００５１】
例４：
例１と同様に、キートップ(4)を成形して接着層(11)を塗布する。このキートップ(4)を、厚さ０．０５ｍｍで軟質のウレタン樹脂フィルムでなるベースシート(8)の表面に固着する。その一方で、厚さ０．０５ｍｍの硬質ポリエチレンテレフタレート樹脂フィルムでなり絶縁孔(18a)を設けた保形シート(18)に紫外線硬化型接着剤でなる固着層(15)を設け、ベースシート(8)の裏面に固着する。保形シート(18)の裏面には例１と同様の押し子(10)を形成し、例１と同様に両面テープをベースシート(8)の裏面に貼着して弾性固着部(9)を得る。こうして例４のキーシート(17)を製造する。
【図面の簡単な説明】
【００５２】
【図１】第１実施形態のキーシートを示す平面図。
【図２】図１のＳＢ−ＳＢ線断面図。
【図３】第１実施形態のキーシートを示す底面図。
【図４】電子機器に第１実施形態のキーシートを装着した状態の断面図。
【図５】第２実施形態のキーシートを示す図２相当の断面図。
【図６】第２実施形態のキーシートを示す底面図。
【図７】電子機器に第２実施形態のキーシートを装着した状態の断面図。
【図８】第３実施形態のキーシートを示す図２相当の断面図。
【図９】第３実施形態のキーシートを示す底面図。
【図１０】電子機器に第３実施形態のキーシートを装着した状態の断面図。
【図１１】第４実施形態のキーシートを示す平面図。
【図１２】図１１のＳＣ−ＳＣ線断面図。
【図１３】第４実施形態のキーシートを示す底面図。
【図１４】電子機器に第４実施形態のキーシートを装着した状態の断面図。
【図１５】第５実施形態のキーシートを示す平面図。
【図１６】図１５のＳＤ−ＳＤ線断面図。
【図１７】従来のキーシートを備える携帯電話機の外観図。
【図１８】図１７のＳＡ−ＳＡ線断面図。
【符号の説明】
【００５３】
１    携帯電話機
２    筐体
２ａ  操作開口
３    キーシート（従来例）
４    キートップ
５    ベースシート
６    回路基板
６ａ  突起
７    キーシート（第１実施形態）
８    ベースシート
８ａ  突片部
９    両面テープ（弾性固着部）
１０    押し子
１１    接着層
１２    皿ばね（接点スイッチ）
１３    キーシート（第２実施形態）
１４    保形シート
１４ａ  絶縁孔
１５    固着層
１６    固着層
１７    キーシート（第３実施形態）
１８    保形シート
１８ａ  絶縁孔
１９    キーシート（第４実施形態）
２０    キートップ
２０ａ  突出部
２１    キーシート（第５実施形態）
２２    樹脂フィルム
【図１】
2010040358.tif 000003
【図２】
2010040358.tif 000004
【図３】
2010040358.tif 000005
【図４】
2010040358.tif 000006
【図５】
2010040358.tif 000007
【図６】
2010040358.tif 000008
【図７】
2010040358.tif 000009
【図８】
2010040358.tif 000010
【図９】
2010040358.tif 000011
【図１０】
2010040358.tif 000012
【図１１】
2010040358.tif 000013
【図１２】
2010040358.tif 000014
【図１３】
2010040358.tif 000015
【図１４】
2010040358.tif 000016
【図１５】
2010040358.tif 000017
【図１６】
2010040358.tif 000018
【図１７】
2010040358.tif 000019
【図１８】
2010040358.tif 000020